(57)【要約】【課題】  簡便にしかも確実に電気接続できる床暖房パネル及びその施工方法を提供する。【解決手段】  床材１と、床材１に内装された電気ヒーターと、電気ヒーターに電気的に接続されたコネクタ部４と、床材１の端面に開口するコネクタ収納部３ａと、を備え、コネクタ部４をコネクタ収納部３ａに対して出し入れ自在に設けた床暖房パネル５において、コネクタ部４にコネクタ収納部３ａの開口縁に当接される突起片６を設け、突起片６の当接によりコネクタ部４のコネクタ収納部３ａへの収納が阻止され、突起片６を除去することでコネクタ部４がコネクタ収納部３ａに収納されるものである。【選択図】図１
2006275342.tif 000002
【特許請求の範囲】
【請求項１】
床材と、床材に内装された電気ヒーターと、電気ヒーターに電気的に接続されたコネクタ部と、床材の端面に開口するコネクタ収納部と、を備え、コネクタ部をコネクタ収納部に対して出し入れ自在に設けた床暖房パネルにおいて、コネクタ部にコネクタ収納部の開口縁に当接される突起片を設け、突起片の当接によりコネクタ部のコネクタ収納部への収納が阻止され、突起片を除去することでコネクタ部がコネクタ収納部に収納されるものであることを特徴とする床暖房パネル。
【請求項２】
コネクタ部に突起片が収納される突起片収納部を設け、突起片を突起片収納部に収納することで突起片が除去されるものであることを特徴とする請求項１記載の床暖房パネル。
【請求項３】
突起片が弾性によりコネクタ部の上方に付勢して設けられていることを特徴とする請求項２記載の床暖房パネル。
【請求項４】
請求項１〜３のいずれか１つに記載の床暖房パネルと、床暖房パネルに隣接しコネクタ部に挿入されるプラグ部を有する隣接床暖房パネルとの施工方法において、床暖房パネルを基礎床面に固定し、隣接床暖房パネルをそのプラグ部が床暖房パネルのコネクタ部に対向するように配置し、床暖房パネルのコネクタ部をコネクタ収納部から引き出し、床暖房パネルのコネクタ部の突起片をコネクタ収納部の開口縁に当接させながらプラグ部をコネクタ部に押圧することで挿入した後、突起片を除去してプラグ部が接続されたコネクタ部をコネクタ収納部に収納し、隣接床暖房パネルを床暖房パネルに接合することを特徴とする床暖房パネルの施工方法。
【発明の詳細な説明】
【技術分野】
【０００１】
本願発明は、電気ヒーターを内装した木質の床暖房パネルに関し、特にはその電気接続構造及び方法に特徴を有する床暖房パネル及びその施工方法に関する。
【背景技術】
【０００２】
従来から、室内の暖房を行う手段として床暖房装置が用いられることがある。この床暖房装置の一つに、木質の床材に電気ヒーターを内装した床暖房パネルを使うものがある。この床暖房パネルによる床暖房装置においては、複数の床暖房パネルを床に合わせて設置していくことになるが、このとき各々の床暖房パネルの電気ヒーターを導通接続する必要がある。そのため、各々の床暖房パネルに電気ヒーターに導通接続されたコネクタを設け、電気ヒーターを接続することが一般的である。
【０００３】
一般的な床暖房パネルにおいては、床暖房パネルの側方にコネクタを出し入れ自在に設けており、施工時には接合する床暖房パネルのコネクタを接続した後、コネクタを床材に収納して、床暖房パネルを接合するものであった。しかしながら、コネクタを出し入れ自在に設けているために、施工者はコネクタ接続時に、接合するコネクタのそれぞれを握って接合しなくてはならず、両手がふさがってしまうために施工に手間がかかった。
【０００４】
一方、床暖房コネクタ構造の例としては、特開平１１−１９０５３２号公報には、電気ヒーターを内装して実継ぎ接続される床暖房パネルにおいて、床暖房パネル同士の実継ぎ接続と共にコネクタが接続されるコネクタ構造が開示されている。このコネクタ構造では、床暖房パネルの設置と同時にコネクタの接続もされるために施工が簡便になる。しかしながら、接続される床暖房コネクタの位置を正確に調整して床暖房パネルを施工しなくてはならず、コネクタの位置を誤って床暖房パネルを接合してしまうとうまく接合されないだけでなく、コネクタを破損するおそれがあった。
【特許文献１】特開平１１−１９０５３２号公報
【発明の開示】
【発明が解決しようとする課題】
【０００５】
本願発明は、上記背景技術に鑑みて発明されたものであり、その課題は、簡便にしかも確実に電気接続できる床暖房パネル及びその施工方法を提供することである。
【課題を解決するための手段】
【０００６】
上記課題を解決するために、本願発明は、床材と、床材に内装された電気ヒーターと、電気ヒーターに電気的に接続されたコネクタ部と、床材の端面に開口するコネクタ収納部と、を備え、コネクタ部をコネクタ収納部に対して出し入れ自在に設けた床暖房パネルにおいて、コネクタ部にコネクタ収納部の開口縁に当接される突起片を設け、突起片の当接によりコネクタ部のコネクタ収納部への収納が阻止され、突起片を除去することでコネクタ部がコネクタ収納部に収納されるものであることを特徴とする床暖房パネルである。
【発明の効果】
【０００７】
本願発明の床暖房パネルにおいては、コネクタ部に突起片を設け、突起片の当接によりコネクタ部の収納が阻止されるため、床暖房パネル間でのコネクタ部の電気接続が簡便にしかも確実にでき、突起片の除去によりコネクタ部がコネクタ収納部に収納されるため、接続後のコネクタ部をコネクタ収納部に収納することができる。
【発明を実施するための最良の形態】
【０００８】
図１及び２は、本願の請求項１〜請求項３に対応した一実施形態である床暖房パネルを示している。この実施形態の床暖房パネルは、図１及び２に示す如く、床材１と、床材１に内装された電気ヒーターと、電気ヒーターに電気的に接続されたコネクタ部４と、床材１の端面に開口するコネクタ収納部３ａと、を備え、コネクタ部４をコネクタ収納部３ａに対して出し入れ自在に設けた床暖房パネル５において、コネクタ部４にコネクタ収納部３ａの開口縁に当接される突起片６を設け、突起片６の当接によりコネクタ部４のコネクタ収納部３ａへの収納が阻止され、突起片６を除去することでコネクタ部４がコネクタ収納部３ａに収納されるものである。
【０００９】
又、コネクタ部４に突起片６が収納される突起片収納部８を設け、突起片６を突起片収納部８に収納することで突起片６が除去されるものである。
【００１０】
又、突起片６が弾性によりコネクタ部４の上方に付勢して設けられている。
【００１１】
以下、この実施形態の床暖房パネルを、より具体的詳細に説明する。この実施形態の床暖房パネルは、側面に実継ぎ加工が施された木質の床材１に、電気ヒーターが内装されているが、詳しくは、下に開口した箱型の床材上部とそれを閉口する板状の床材下部の間に電気ヒーターが挟まれている。又、パネル間の電気ヒーターを電気的に接続するために、電気ヒーターにはコネクタ部４が設けられており、このコネクタ部４は床材１の端面に開口したコネクタ収納部３ａから出し入れ自在に設けられている。
【００１２】
このコネクタ部４は図２に示すごとく、略扁平箱型であり、突起片６を設けると共に突起片６を収納する突起片収納部８が設けられている。この場合、コネクタ部４の上面の略中央に断面略円形の穴を設けて突起片収納部８としており、突起片６もその形状に合わせて略柱状としている。この突起片６は、弾性部１０を介して突起片収納部８に設けられており、この場合、弾性部１０にはばねを用いている。従って、この突起片６は上方からの押圧により突起片収納部８へ入って突起片６が除去され、押圧を解除することで突起片収納部８から出るようになっている。つまり、突起片６は弾性部１０によりコネクタ部上方に付勢して設けられている。
【００１３】
又、コネクタ部４の突起片６は、コネクタ部４をコネクタ収納部３ａに収納していくと床材１の端面に当接され収納が阻止されるが、突起片６が当接される床材上部は、床材下部よりも厚くなっている。これにより、この床材上部の開口部の上方が突起片受け部７となり、突起片６の当接を支持する。従って、コネクタ部４は突起片６を突起片収納部８から出すと突起片６は突起片受け部７に支持されることで仮固定され、突起片６を突起片収納部８に入れると突起片６の突起片受け部７への当接が解除されるためにコネクタ部４が収納部に収まるようになる。又、コネクタ部４には、その側面にプラグ部９を差し込むための端子差込穴１１と、その上面に端子はずし用爪１２が設けられている。
【００１４】
一方、図１に示す如く、床暖房パネル５のコネクタ部４を設けた端部の逆側には、コネクタ部４に代わってプラグ部９が設けられている。このプラグ部９は、コネクタ部４に挿入されることで電気的に接続される。このプラグ部９も、コネクタ部４同様、床材１の端面に開口を有するプラグ収納部３ｂから出し入れ自在に設けられている。
【００１５】
図３は、本願の請求項４に対応した一実施形態である床暖房パネル５の施工方法を示している。この実施形態の床暖房パネル５の施工方法は、図３に示す如く、上記記載の床暖房パネル５ａと、床暖房パネル５ａに隣接しコネクタ部４に挿入されるプラグ部９を有する隣接床暖房パネル５ｂとの施工方法において、床暖房パネル５aを基礎床面に固定し、隣接床暖房パネル５ｂをそのプラグ部９が床暖房パネル５ａのコネクタ部４に対向するように配置し、床暖房パネル５ａのコネクタ部４をコネクタ収納部３ａから引き出し、床暖房パネル５のコネクタ部４の突起片６をコネクタ収納部３ａの開口縁に当接させながらプラグ部９をコネクタ部４に押圧することで挿入した後、突起片６を除去してプラグ部９が接続されたコネクタ部４をコネクタ収納部３ａに収納し、隣接床暖房パネル５ｂを床暖房パネル５aに接合する床暖房パネル５の施工方法である。
【００１６】
以下、この実施形態の床暖房パネル５の施工方法を、より具体的詳細に説明する。この実施形態の床暖房パネル５の施工方法は、まず、すでにプラグ部９の接続が済み、基礎床面に固定された床暖房パネル５ａのコネクタ部４をコネクタ収納部３ａから引き出し、突起片６が出た状態にする。そして、この突起片６を床材１側面の突起片受け部７に当接するまでコネクタ収納部３ａに収納する。このとき、突起片６の突起受け部７への当接により、コネクタ部４はコネクタ収納部３ａに完全には収納されず、プラグ部９が収納される端子差込穴１１がコネクタ収納部３ａから出た状態となっている。ここで、隣接床暖房パネル５ｂはプラグ部９が床暖房パネル５ａのコネクタ部４が対向するように配置しておき、プラグ部９をプラグ収納部３ｂから引き出しておく（図３（ａ））。
【００１７】
続いて、プラグ部９をコネクタ部４に挿入する。このとき、コネクタ部４の突起片６を突起片受け部７に当接させながら挿入する。コネクタ部４は突起片６により突起受け部に当接されているので、コネクタ収納部３ａに収納されることなく、プラグ部９とコネクタ部４とがしっかり接続される（図３（ｂ））。
【００１８】
なお、この実施形態における床暖房パネル５は、コネクタ部４及びプラグ部９の双方を有しており、それぞれ対向する端面に設けているが、図１及び図３では、床暖房パネル５ａはコネクタ部４側、隣接床暖房パネル５ｂはプラグ部９側の一部しか示していない。
【００１９】
最後に、コネクタ部４の突起片６を突起片収納部８に入れ、コネクタ部４をコネクタ収納部３ａに収納する。そして、隣接床暖房パネル５ｂを床暖房パネル５ａに接合すると、プラグ部はプラグ収納部３ｂに収納され、施工が完了する（図３（ｃ））。
【００２０】
従って、この実施形態の床暖房パネル５及びその施工方法においては、コネクタ部４に突起片６を設けているため、プラグ部９をコネクタ部４に接続する際、コネクタ部４がコネクタ収納部３ａの開口縁２に当接されるためにコネクタ収納部３ａへの挿入が阻止されてコネクタ部４がコネクタ収納部３ａに仮固定されて、コネクタ部４を簡便に且つ確実に接続することができる。又、この突起片６が除去されることでコネクタ部４がコネクタ収納部３ａに収納されるため、接続されたコネクタ部４をコネクタ収納部３ａに収納できる。
【００２１】
又、コネクタ部４に突起片６が収納される突起片収納部８を設け、突起片６を突起片収納部８に収納することで突起片６が除去されるため、突起片６が必要なとき、すなわち、プラグ部９とコネクタ部４の接続時には突起片６を出して突起片受け部７に当接されることでプラグ部９の接続を容易にし、プラグ部９の不必要なとき、すなわち、床暖房パネル５の輸送時やプラグとコネクタ部４の接続後には突起片６を収納して除去することでプラグ部９をプラグ収納部３ｂに収納することができる。これにより、突起片６の除去が可逆にできる。
【００２２】
又、突起片６が弾性によりコネクタ部４の上方に付勢して設けられているため、コネクタ部４の上方から突起片６を押圧するだけで簡単に突起片６を除去でき、押圧を解除することで突起片６は再び突出し、突起片６の除去が容易に且つ可逆に行うことができる。又、突起片６をコネクタ部４の上方に設けているため、突起片６が施工の際に動作しやすい位置に配置されている。それに加え、コネクタ部４をコネクタ収納部３ａに収めたとき、弾性部１０によりコネクタ部４がしっかりと固定され、床暖房パネル５の施工後に床暖房パネル５上を歩いても、コネクタ部４がコネクタ収納部３ａ内で揺れることがなく、雑音を生じることがない。
【００２３】
又、床材１の床材上部を床材下部よりも厚くし、突起片６が当接される開口縁２に突起片受け部７を設けているため、突起片６が突起片受け部７に確実に支持され、コネクタ部４がコネクタ収納部３ａに収納されることを確実に防ぎ、プラグ部９の挿入時に突起６の当接により床材１が破損することも防ぐことができる。
【図面の簡単な説明】
【００２４】
【図１】本願発明の一実施形態である床暖房パネルのコネクタ周辺部を示す斜視図。
【図２】同床暖房パネルにおけるコネクタ部を示す（a）は平面図、（ｂ）はＡ−Ａ’断面図。
【図３】同床暖房パネルの施工方法を示す斜視図。
【符号の説明】
【００２５】
１  床材
２  開口縁
３ａコネクタ収納部
３ｂプラグ収納部
４  コネクタ部
５ａ床暖房パネル
５ｂ隣接床暖房パネル
６  突起片
７  突起片受け部
８  突起片収納部
９  プラグ部
10  弾性部
11  端子差込穴
12  端子はずし用爪
【図１】
2006275342.tif 000003
【図２】
2006275342.tif 000004
【図３】
2006275342.tif 000005